(57)【要約】【課題】  自然石ブロックでは、ブロック内に鉄筋を挿通するための長い貫通孔を設けることができないため、コンクリートブロックのように鉄筋を挿通してブロックを積み重ねることができないという問題を解消する。【解決手段】  自然石ブロック１の上端面と下端面とから内部に向けて同一軸線上端に長さの短い貫通孔３を設けておき、ブロックの裏面に、前記貫通孔３の内奥端間を連通する凹部４を設けることにより、凹部４の長さ分だけドリルによる穿孔を省略して貫通孔３を設け易くする。【選択図】  図１
2005163356.tif 000002
【特許請求の範囲】
【請求項１】
自然石壁材の上端面と下端面とから壁材内部に向けて、それぞれ同一軸線上に配列する貫通孔を穿設し、壁材の裏面には前記両貫通孔の内奥端間が相互に連通するように壁材の肉厚を削除した凹部を設けた壁面用ブロック。
【請求項２】
自然石壁材の裏面に設けられる凹部が、貫通孔の設けられる長さ方向に沿った凹溝形であって、壁材の上端面から凹部内を通過して壁材の下端面に達するように同一軸線上に穿設される貫通孔が、ボルト型鋼棒を挿通するための孔である請求項１の壁面用ブロック。
【請求項３】
自然石壁材の裏面に設けられる凹部が、壁材の上端面と下端面とを除いた壁材裏面部分を薄肉状に削除することで形成され、壁材の上端面から凹部内を通過して壁材の下端面に達するように同一軸線上に穿設される貫通孔が、ボルト型鋼棒を挿通するための孔である請求項１の壁面用ブロック。
【請求項４】
自然石壁材の裏面に設けられる凹部が、壁材の上端面と下端面と、上下両端面の間を結ぶ中央部とを除いた壁材裏面部分を薄肉状に削除することで形成され、壁材の上端面から凹部内を通過して壁材の下端面に開通するように同一軸線上に穿設される貫通孔が、ボルト型鋼棒を挿通するための孔である請求項１の壁面用ブロック。
【請求項５】
貫通孔内に挿通されるボルト型鋼棒が、貫通孔の開口部に対してナットにより締着固定されている請求項２ないし４のいずれかの壁面用ブロック。
【請求項６】
ボルト型鋼棒を貫通孔に対して、前記鋼棒の軸心が貫通孔の軸心よりも壁材の表面側にあるような偏心位置に挿通し、前記鋼棒に嵌合したワッシャを係止突片により貫通孔の開口部に係止して、ナットを締め付けることでボルト型鋼棒を貫通孔に固定させた請求項５の壁面用ブロック。
【請求項７】
ボルト型鋼棒を貫通孔に対して、前記鋼棒の軸心が貫通孔の軸心と同心位置にあるように挿通し、前記鋼棒に嵌合したワッシャの両端部に突設した一対の係止突片をそれぞれ貫通孔の開口部に係止して、ナットを締め付けることでボルト型鋼棒を貫通孔に固定させた請求項５の壁面用ブロック。
【請求項８】
自然石もしくはコンクリートからなるブロックの上端面から内部に向けて貫通孔を穿設して、ブロックの裏面には前記貫通孔の下端部と直交する向きで、かつ、前記貫通孔の内径よりも大きい内径の横穴状の凹部を設け、前記貫通孔内にアンカーボルトを挿入して、このアンカーボルトの上端を叩打することにより、ボルト下端部を凹部内で拡開係止させた壁面用の連結金具取付け方法。
【請求項９】
自然石もしくはコンクリートからなるブロック裏面に設けられる凹部が、通常ボルトの下端を挿入するための孔であって、前記ボルトは、下端部に軸方向と直交する向きの係止孔が開設されていて、このボルトが凹部内へ挿入された際に、貫通孔を通して挿入された支持鋼線の先端をボルトの係止孔に挿通することで、ボルトを凹部内に挿着係止し、ボルトの外端部に接続金具をナットにより固定した壁面用ブロックの連結金具取付け方法。
【発明の詳細な説明】
【技術分野】
【０００１】
本発明は、石材、コンクリートなどからなる壁面用ブロック及びこの壁面用ブロックを相互に連結するために用いられる連結金具の取付け方法に関するものである。
【背景技術】
【０００２】
従来において、壁面用ブロックを互いに組み立てて壁面や擁壁を構築するための方法としては、ブロック内に鉄筋としての支持鋼棒を挿通しながら、ブロックを下から順次上方へ積み上げて壁面を構築する方法が広く知られている。また、自然石のブロックや壁材の場合には、裏面にアンカーボルトのような連結金具とか、溝形鋼による取付け金具を設けて、これらの連結金具や取付け金具を介して壁面、擁壁などを構築する方法など、各種の方法が知られている。
【０００３】
【特許文献１】特開２００２−２５００４３号公報
【特許文献２】特許第２８６２８５９号公報
【特許文献３】特開２００２−３２７５００号公報
【特許文献４】特開２０００−２５７０８７号公報
【発明の開示】
【発明が解決しようとする課題】
【０００４】
壁面用ブロックのうち、コンクリート製ブロックの場合は、成形の際に、ブロック内に鉄筋を挿通するための貫通孔を予め設けておくことができるので、ブロックを互いに積み上げる時にブロック内に鉄筋を自由に挿通することができる。しかし、自然石を加工したブロックの場合には、ブロック内に鉄筋を挿通するための貫通孔を、ドリルによりブロックの上端面からブロック内部に向けて穿設しなければならないので、貫通孔を穿設することのできる長さにも限界があり、また、貫通孔を設ける作業を正確、かつ、能率的に行うことができないという問題点がある。
【０００５】
そのため、自然石ブロックの場合には、ブロック内に鉄筋を挿通するための貫通孔を設ける代わりに、例えば、特許文献２に示すように、ブロックの裏面にアンカーボルトを打ち込んで、互いに隣接する部分のアンカーボルトを連結線材により一体に連結することになるが、もしも、自然石のブロックや壁材の内部に、コンクリート製ブロックの場合と同じような、鉄筋を挿入できる貫通孔を簡単に穿設することができたなら、この種のブロックや壁材の積み立て工事を、もっと能率的に行え、強度のある壁面を構築できると考えられる。
【０００６】
また、壁面用ブロックのうち、自然石を加工した壁材のように厚さが３０乃至８０ｍｍ程度の小さい板の場合（例えば、厚さ７０ｍｍ、幅３００ｍｍ、長さ９００ｍｍ程度の自然石材を擁壁、壁材、型枠などに使用する場合）には、裏面から板厚方向に穿設するアンカーボルト挿通孔の深さを、ボルトが埋め込まれた施工後に、確実な引き抜き強度が得られるような十分な深さに設定すると、孔の底の厚さが薄くなって、孔内に挿入したアンカーボルトのヘッドをハンマーで叩打した時に、孔の底の厚さが足りないために挿通孔が破壊されてしまうという問題を有している。また、挿通孔内で、アンカーボルトの内側端がクサビ状に拡開することで、孔の周囲に無理な力が作用し、孔の部分で壁材が破壊されてしまうという問題を有している。
【課題を解決するための手段】
【０００７】
本発明は、従来より知られる、壁面用ブロックと連結金具の取付け方法における上記のような問題点を解決するための手段として、壁面用ブロックの上端面から内部に向けて貫通孔を設けるとともに、ブロックの裏面に凹部を設けることで、自然石のブロックや壁材でも内部に鉄筋を挿入できる貫通孔を簡単に穿設することができ、また、自然石、コンクリートに限らず、凹部と貫通孔とを利用して、連結金具をブロックが破損されることなく簡単に取付けられるようにした壁面用ブロックと、このブロック用連結金具の取付け方法の提供を目的としたものである。
【０００８】
本発明の壁面用ブロックは、そのための具体的手段として、自然石壁材の上端面と下端面とから壁材内部に向けて、それぞれ同一軸線上に配列する貫通孔を穿設し、壁材の裏面には前記両貫通孔の内奥端間が相互に連通するように壁材の肉厚を削除した凹部が設けられていることを特徴とする。
【０００９】
自然石壁材の裏面に設けられる凹部の一つの例としては、この凹部が同一軸線上端に配列される貫通孔の長さ方向に沿って、孔の内奥端間を連通するように設けられた凹溝形であって、壁材の上端面から凹部内を通過して壁材の下端面に達するような同一軸線上に穿設される貫通孔が、ボルト型鋼棒を挿通するための孔であるような形状が考えられる。
【００１０】
さらに、自然石壁材の裏面に設けられる凹部としては、壁材の上端面と下端面とを除いた壁材裏面部分を肉が薄くなるように削除して形成したもの、あるいは、壁材の上端面と下端面と、上下両端面の間を結ぶ中央部とを除いた壁材裏面部分を肉薄状に削除して形成したものであってもよい。
【００１１】
壁材の上端面から下端面に開通する貫通孔内に挿通されるボルト型鋼棒は、全長に雄ネジが設けられていて、貫通孔の開口部付近にナットを螺着して、このナットを貫通孔開口部に締め付けることで、貫通孔内へ一体的に固定させるように構成されている。
【００１２】
ボルト型鋼棒を貫通孔に挿通する際には、ボルト型鋼棒の軸心が貫通孔の軸心よりも壁材の表面側にあるような偏心位置に挿通し、前記ボルト型鋼棒に嵌合したワッシャを係止突片により貫通孔の開口部に係止して、ナットを締め付けることによりボルト型鋼棒を貫通孔に固定することが好ましい。
【００１３】
ボルト型鋼棒を貫通孔内の中心部分に挿通した状態が維持できるようにするための手段として、ボルト型鋼棒に嵌合したワッシャの前後両端に一対の係止突片を設けておいて、これらの係止突片を貫通孔の開口部に係止して、ナットを締め付けることによりボルト型鋼棒を貫通孔に固定するようにしてもよい。
【００１４】
自然石に限らず、コンクリート製のブロックを含む場合において、前記の貫通孔と凹部とを利用して、連結金具を取付ける方法が考えられる。この方法は、ブロックの上端面から内部に向けて貫通孔を穿設して、ブロックの裏面には前記貫通孔の下端部と直交する向きで、かつ、前記貫通孔の内径よりも大きい内径の横穴状の凹部を設け、前記貫通孔内にアンカーボルトを挿入して、このアンカーボルトの上端を叩打することにより、ボルト下端部を凹部内で拡開係止させることを特徴とする。
【００１５】
同様に、自然石、コンクリート製のブロックなどの場合において、凹部と貫通孔とを利用して、連結金具を取付ける方法としては、ブロック裏面にボルトを挿入するための凹部を設けるとともに、ブロックの上端面から前記凹部内に向けて貫通孔を穿設し、前記凹部内に挿入されるボルトは、内端部に軸方向と直交する向きの係止孔を開設しておいて、このボルトが凹部内へ挿入された際、貫通孔を通して挿入された支持鋼線の先端をボルトの係止孔に挿通することで、ボルトを凹部内に挿着し、ボルトの外端部に連結金具をナットにより固定するようにしてもよい。
【発明の効果】
【００１６】
この発明の壁面用ブロックは、ブロックの上端面と下端面とからそれぞれ内部に向けて同一軸線上に配列するの貫通孔を穿設するとともに、ブロックの裏面には、前記両貫通孔の内奥端間が相互に連通するように壁材の肉厚を削除した凹部を設けるので、自然石ブロックの場合でも、ドリルによる貫通孔はブロックの上端面と凹部との間及び凹部と下端面との間を結ぶ短い部分にだけ設ければよく、凹部については穿設を省略できるので、貫通孔を板幅の全長にわたって穿設する必要がなく、自然石ブロックに従来では不可能とされていた鉄筋挿通孔を簡単に設けることができて、コンクリートブロックのように、内部挿通鉄筋により強度のある擁壁、壁面を構築することができる。
【００１７】
ブロックの裏面に設けられる凹部を、貫通孔の設けられる長さ方向に沿った長円形の凹溝形とした場合には、ブロックの裏面の大きさに対し、幅が小さくて削除し易い経済的な凹部を簡単に設けることができる。また、予めブロックの上端面と下端面とから内部に向けて、短い貫通孔を同一軸線上に穿設しておいてから、ブロックの裏面にそれぞれのこれらの貫通孔の内奥端を連通するような凹部を設ければよいので、貫通孔はいずれも短くてすみ、貫通孔の穿設加工を簡単かつ、能率的に行うことができる。
【００１８】
ブロックの裏面に設けられる凹部を、壁材の上端面と下端面とを除いた壁材裏面部分を薄肉状に削除することで形成したもの、あるいは、壁材の上端面と下端面と、上下両端面の間を結ぶ中央部とを除いた壁材裏面部分を薄肉状に削除することで形成したものでは、ブロック裏面における大半の肉厚部が削除されるので、ブロックの表面から見た形状は自然石の風格を維持しつつ、ブロックとしての重量が大幅に軽減でき、積み立て工事を能率的に行うことができる。
【００１９】
なお、前記凹部を、壁材の上端面と下端面と、上下両端面の間の中央部とを除いた壁材裏面部分を薄肉状に削除することで形成したものでは、上下両端面の中間部に削除されない肉厚部が残されて、この部分が壁材の補強部として機能するので、ブロックの重量を大幅に軽減でき、しかも強度を有するものとすることができる。
【００２０】
壁材の貫通孔内に挿通されるボルト型鋼棒は、互いに積み上げられた壁材を連結するように、貫通孔内へ挿通された時点で締め付けに必要な数のワッシャとナットをネジに螺着しておき、後にこれらのワッシャとナットを貫通孔の開口部に締め付け、壁材と一体的に固定して、互いに積み上げられた壁材の全体的強度を高めることができる。
【００２１】
上記のように互いに積み上げられた壁材をボルト型鋼棒によって連結し、壁材の裏面に露呈したこれらの鋼棒を背面の地山方向へ引っ張ることで壁面を構築する際に、鋼棒の貫通孔開口部に螺着するナットの締め付け力が緩いと、鋼棒が引っ張られてくの字状に折れ曲がり、貫通孔の開口部付近が不当な衝撃力を受けて破損することがある。
【００２２】
このような事情を考慮して、ボルト型鋼棒を貫通孔に挿通する際に、ボルト型鋼棒の軸心を、貫通孔の軸心よりも壁材の表面側にあるような偏心位置に挿通しておき、かつ、このボルト型鋼棒に嵌合したワッシャの一部に係止突片を設けておいて、この係止突片を貫通孔の開口部に係止してナットを締め付けると、鋼棒の軸心を貫通孔の軸心よりも壁材表面側に偏心させた状態を維持することができ、鋼棒が引っ張られても、くの字状状に折れ曲がって移動する量を少なくして、貫通孔開口部付近の破損率を抑制することができる。
【００２３】
また、貫通孔に挿通したボルト型鋼棒を安定よく固定するための手段としては、ボルト型鋼棒に嵌合するワッシャの両端部に一対の係止突片を設けて、これらの係止突片を貫通孔の開口部に設けた一対の窪み内に係止させれば、鋼棒が側方へ引っ張られても、ワッシャによって鋼棒が貫通孔内で移動することを防止して、貫通孔の破損防止に役立つ。
【００２４】
石材やコンクリートブロックに設けた凹部と貫通孔とを利用して、連結金具を取付ける方法の一例としては、貫通孔内にアンカーボルトを挿入する方法があるが、この方法では、アンカーボルトの下端が貫通孔の底部に相当する横穴状凹部内周面に支持されているので、その状態でアンカーボルト上端を叩打すれば、直ちにボルト下端部を凹部内で拡開係止することができ、アンカーボルトの取付け作業を能率よく安全に行うことができる。
【００２５】
また、前記のように凹部と貫通孔とを利用して、連結金具を取付ける別の方法としては、ブロック裏面にボルトを挿入するための凹部を設けて、ブロックの上端面から前記凹部内に向けて貫通孔を穿設し、前記凹部内に軸方向と直交する向きの係止孔を設けたボルトを挿通する方法があるが、この方法では、ボルトを凹部内へ挿入した際に、貫通孔を通して支持鋼線の先端を係止孔に挿通すれば、ボルトを凹部内に定着することができ、ボルトの外端部にナットを介して連結金具を自由に取付けることができる。
【発明を実施するための最良の形態】
【００２６】
ブロックの裏面に設ける凹部を、貫通孔の設けられる長さ方向に沿った凹溝形とする実施例では、貫通孔の設けられる予定線上に、貫通穴の太さより太い外径の円筒ドリルによって、リング状の切り込みを貫通孔の長さ方向に沿って重なり合うように設けて、これらの切り込みの内側を切除すれば、簡単に所望の長さの凹部を得ることができるので、貫通孔の穿孔加工を簡単、かつ能率的に行えるので実施に適している。
【実施例】
【００２７】
次に、本発明に係る壁面用ブロックの構造及び壁面用ブロックに設けられる連結金具の取付け方法を、図面に示す実施例について説明すると、図１は、自然石を加工した壁材１を、鉄筋のような鋼棒の全長に雄ネジを設けたボルト型鋼棒２を挿通しながら相互に積み上げたものであり、壁材１にボルト型鋼棒２を挿通するのに必要な貫通穴３を設ける手段として、壁材１の裏面に貫通孔３の長さ方向に沿った凹溝形の凹部４を設けた例を示している。
【００２８】
壁材１の裏面に設けられる凹部として、貫通孔３の長さ方向に沿った凹溝形の凹部４を設ける場合には、図３に示すように、まず、穿設ドリルによって壁材１の上端面１ａから壁材１の内部に向け、また、壁材１の下端面１ｂから壁材１の内部に向けて、それぞれボルト型鋼棒２を挿通するための貫通孔３を、同一軸線上に連通するように穿設し、次に、前記両貫通孔３の両内端が位置している壁材１の裏面に、上下両端が両貫通孔３の内端と連通する凹溝形の凹部４を貫通孔３の長さ方向に沿っ切削する。
【００２９】
この凹溝形の凹部４を設ける際には、図３に示すように、貫通孔３の２乃至５倍程度の太さの外径を有する円筒ドリルによって、リング状の切り込み線５を貫通孔３の長さ方向に沿って重なり合うように複数個設けて、後にこれらの切り込み線５の内側部分を切除すれば、所望の長さの凹部４を得ることができる。
【００３０】
このようにして上下両面に貫通孔３が穿設され、裏面に凹溝形の凹部４が切削された壁材１は、図１のように、左右の壁材１，１の継ぎ目上に上方の壁材１が載るように互いに配置され、上下の壁材１における連通する貫通孔３にボルト型鋼棒２を挿通して、各壁材１が一体に積み重ねられる。
【００３１】
通常、壁材にボルト型鋼棒を挿通するための貫通孔を穿設する場合、壁材の上端面から下端面に到る長い距離にわたって貫通孔を設けなければならず、ドリルの長さが大きくなって貫通孔の軸線が曲がり、適切な貫通孔を設けにくいという問題があるが、上記のように、まず壁材１の上下両面から内部に貫通孔３を穿設し、次に壁材裏面にこれらの貫通孔の内端を連通するような凹溝形の凹部４を設ければ、凹部４の部分は貫通孔３を設けなくて済むので、貫通孔の軸線が曲がったり、適切な貫通孔を設けられないという問題を解消し、適正な貫通孔を簡単に設けることができる。
【００３２】
自然石壁材の裏面に設ける凹部の別の形状としては、図４に示すように、壁材１の長さ方向に沿った上端面１ａと下端面１ｂとに、必要な強度を保持できるような補強辺１１ａ，１１ｂとを残して、これらの補強辺１１ａ，１１ｂを除いた部分の肉厚を薄くなるように削除して形成したものであってもよい。なお、この場合も凹部４を設ける前に、上端面１ａと下端面１ｂから壁材内部に向けて貫通孔３を設けておき、その後に壁材裏面に凹部４を形成する。
【００３３】
この補強辺１１ａ，１１ｂを除いた部分の肉厚が薄くなるように削除する方法としては、図５に示すように、壁材１の裏面における上端面１ａと下端面１ｂの内側部分に、回転刃１３によって所定の深さを有する切込み溝１２を切り込む。次に、これらの切欠き溝１２の間に、同様な多数の切込み溝１２を間隔をおいて切り込んで、これらの切込み溝１２を設けた部分の肉厚部を全て削り取り、裏面に補強辺１１ａ，１１ｂよりも肉厚の薄くなった凹部４を設ける。
【００３４】
図６は、別の実施例であり、壁材１の長さ方向に沿った上端面１ａと下端面１ｂと、この上端面１ａと下端面１ｂの間を結ぶ中央部とに、必要な強度を保持できるような補強辺１１ａ，１１ｂ，１１ｃとを残して、これらの補強辺１１ａ，１１ｂ，１１ｃを除いた部分の肉厚を薄くなるように削除して形成したものである。この場合も凹部４を設ける前に、上端面１ａと下端面１ｂから壁材内部に向けて貫通孔３を設けておき、その後に壁材裏面に凹部４を形成する。
【００３５】
補強辺１１ａ，１１ｂ，及び中央部補強辺１１ｃを除いた部分の肉厚が薄くなるように削除するには、図７に示すように、回転刃１３によって、中央部１ｃの両側縁を山裾状の始点として両側に向け徐々に深さが大きくなるようにした多数の切込み溝１２を平行に切り込み、後にこれらの切込み溝１２を設けた部分の肉厚部を全て削り取ることにより、中央部補強辺１１ｃの両側に肉厚の薄くなった凹部４を設ける。凹部４の設けられた壁材１は、図１のように、左右の壁材１，１の継ぎ目上に上方の壁材１が載るように互いに配置され、上下の壁材１における連通する貫通孔３にボルト型鋼棒２を挿通して、各壁材１が一体に積み重ねられる。
【００３６】
ボルト型鋼棒２をそれぞれの貫通孔３に挿通する際には、貫通孔３を通過する毎に、貫通孔３に対応する個数のワッシャ７とナット６とを鋼棒２のネジ部に螺着挿通させておき、図２に示すように、これらのナット６をそれぞれの貫通孔開口部３ａに締め付け固定して、鋼棒２を壁材１に固着する。
【００３７】
このように、互いに積み重ねられた壁材１をボルト型鋼棒２によって連結した場合、図２及び図８の矢印で示したように、壁材１の積み重ねられた状態に緊張力を与えるために、壁材１の裏面に露呈した鋼棒２を背面の地山方向へ引っ張ることが行われるが、この場合、鋼棒２の貫通孔開口部３ａに螺着したナット６の締め付け力が緩いと、鋼棒２が背面の地山方向へ引っ張られることで、図８のように、くの字状に折れ曲がり、貫通孔開口部３ａ付近が衝撃力を受けて破損することがある。
【００３８】
このような事態に対処するため、ボルト型鋼棒２を貫通孔３に挿通する際には、図９に示すように、ボルト型鋼棒２の軸心Ａを貫通孔３の軸心Ｂよりも壁材１の表面側にあるような偏心位置に挿通しておき、かつ、このボルト型鋼棒２に嵌合したワッシャ７の一端に係止突片８を設けておいて、この係止突片８を貫通孔開口部３ａに設けた窪み９に係止してナット６を締め付ける。
【００３９】
このように、貫通孔開口部３ａに固定されるワッシャ７によって、鋼棒２の軸心Ａを貫通孔３の軸心Ｂよりも壁材表面側に偏心させた状態を維持することができるので、図８の矢印のように鋼棒２が引っ張られた場合でも、鋼棒２がくの字状に折れ曲がって移動する量を少なくして、貫通孔開口部３ａ付近の破損率を抑制することができる。
【００４０】
さらに、別の実施例としては、図１０に示すように、ボルト型鋼棒２を嵌合するワッシャ７の前後両端に一対の係止突片８を設けておいて、これらの係止突片８を貫通孔開口部３ａに設けた一対の窪み９内に係止してナット６を締め付ける。この場合には、ボルト型鋼棒２を貫通孔３内の中心部に挿通配置しておくことができる。
【００４１】
上記の実施例はいずれも自然石による壁材を素材とした例についてのものであるが、自然石壁材に限らず、コンクリートブロックを含めた場合にも、前記の凹部と貫通孔とを利用することにより、自然石はもとよりブロックでも、積み立ての際に必要とされる連結金具を簡単、かつ、能率的に取付けることができる。
【００４２】
図１１に示す実施例は、ブロック２１の上端面２１ａにアンカーボルト２５を突設する場合の例であるが、ブロック２１の裏面に凹部２４を設けることと、ブロック２１の上端面２１ａから前記凹部２４に対して貫通孔２３を設ける点の構成において前記の実施例の構成と共通している。
【００４３】
この実施例では、ブロック上端面２１ａから、ブロック内に向けてアンカーボルト２５を挿通するための貫通孔２３を縦向きに穿設する。この貫通孔２３は、下端を未だ拡開しない前のアンカーボルト２５を挿入できる内径と、このボルトの上端を正しい長さでブロック上端面２１ａの上方へ突出できるような深さとを有している。
【００４４】
一方、ブロック裏面から前記貫通孔２３の下端部に向けて、横穴状の凹部２４を該貫通孔２３と直交するように横向きに穿設する。この横穴状凹部２４は、貫通孔２３の内径よりも大きい内径を有し、先端２４ａが前記貫通孔２３の下端を僅かに超えた部分に位置するような深さを有している。
【００４５】
この方法では、下端を拡開する前のアンカーボルト２５を貫通孔２３内に挿入すると、アンカーボルト２５の下端が貫通孔２３の底部に相当する横穴状凹部２４の内周面に支持されるので、その状態で図１１のようにアンカーボルト２５の上端を叩打すると、スリット２６によって分割されたボルト下端２５ａの外径がコーン２７の外周面により拡大されて、内径の大きな凹部２４内で無理なく拡開され、アンカーボルト２５の取付け作業を能率よく安全に行うことができる。
【００４６】
次に、図１４に示す実施例は、ブロック３１の裏面にアンカーボルトではなく、通常のボルト３５を突設する場合の例であり、ブロック３１の裏面に凹部３４を設けることと、ブロック３１の上端面３１ａから前記凹部３４に対して貫通孔３３を設ける点の構成において前記の実施例の構成と共通している。
【００４７】
この実施例では、ブロック上端面３１ａから内奥部に向けて、貫通孔３３を縦向きに穿設し、次いで、ブロック３１の裏面から、ブロック内に向けて、通常のボルト３５を挿通するための凹部３４を、前記貫通孔３３と直交するように横向きに穿設する。
【００４８】
この貫通孔３３は、凹部３４内の一部に開口しているだけでなく、凹部３４の内壁を横切るように貫通して、前記開口部の反対側の一部にも開設されており、また、凹部３４は、ボルト３５の下端を挿入できる大きさの内径と、このボルトの上端を、ナットが装着できるような適切な長さでブロック３１の裏面に突出できるような深さに設定されている。
【００４９】
前記ボルト３５は、凹部３４内に挿入される先端部に、貫通孔３３内へ挿通される支持鋼棒３２を挿通するための係止孔３６が、ボルト軸方向と直交する向きに設けられている。凹部３４内へボルト３５を挿入する際には、係止孔３６が貫通孔３３の軸心と連通するような向きで挿入し、貫通孔３３の上端から挿通した支持鋼線３２の先端をボルト３５の係止孔３６に挿通することで、ボルト３５を凹部３４内から抜けでないように定着する。なお、ボルト３５にはナット３７を介して接続金具３８が取付けられる。
【産業上の利用可能性】
【００５０】
この発明の壁面用ブロックは、ブロックの上端面と下端面とから内部に向けて同一軸線上端に長さの短い貫通孔を設けておき、ブロックの裏面には、前記貫通孔の内奥端間を連通する凹部を設けるので、自然石ブロックの場合でも従来では不可能とされていた鉄筋挿通孔を簡単に設けることができて、コンクリートブロックのように、内部挿通鉄筋により強度のある擁壁、壁面を構築することができる。
【００５１】
また、図１１及び図１２に示した実施例のように、ブロック内にアンカーボルトを設ける場合、従来のように、アンカーボルトをボルト挿通孔内だけでボルトの下端を拡開すると、ボルトの下端がボルト挿通孔内壁を強力に圧迫して壁材を破壊することがあるが、本発明の場合では、貫通孔の下端に、貫通孔よりも内径の大きい凹部が設けられているために、ボルトの下端を、凹部内で周囲の壁面に圧力を与えずに拡開できるので、壁材を破壊することなくボルトを定着できる。
【００５２】
また、従来における壁材の積み重ね作業では、アンカーボルトを使用することが常識とされていて、通常のボルトは使用されなかったが、図１４の場合には、アンカーボルトに代えて通常ボルト及びナットを使用できるので、工事を経済的に施工することができる。
【図面の簡単な説明】
【００５３】
【図１】本発明に係る壁面用ブロックの構造の一例を示す裏面図。
【図２】図１のＡ−Ａ線における断面図。
【図３】壁面用ブロックの裏面に設ける凹部成形法の一例を示す説明図。
【図４】本発明に係る壁面用ブロックの構造の別の例を示す裏面図。
【図５】図４のブロックにおける凹部成形法の一例を示す斜視図。
【図６】本発明に係る壁面用ブロックの構造のさらに別の例を示す裏面図。
【図７】図６のブロックにおける凹部成形法の一例を示す断面図。
【図８】ボルト型鋼棒が貫通孔内で矢印方向に引っ張られた状態の断面図。
【図９】ボルト型鋼棒を貫通孔内の偏心位置に固定する構成の断面図。
【図１０】ボルト型鋼棒を貫通孔内の同心位置に固定する構成の断面図。
【図１１】ブロックに設ける連結金具の取付け方法の一例を示す断面図。
【図１２】図１０の連結金具がブロックに取付けられた状態を示す断面図。
【図１３】図１１のＢ−Ｂ線における断面図。
【図１４】ブロックに設ける連結金具取付け方法の別の一例を示す断面図。
【符号の説明】
【００５４】
１：壁材、
１ａ：壁材上端面、
１ｂ：壁材下端面、
１ｃ：中央部
２：ボルト型鋼棒、
３：貫通孔、
３ａ：貫通孔開口部、
４：凹部、
５：切り込み線、
６：ナット、
７：ワッシャ、
８：係止突片、
９：窪み、
１１ａ：補強辺、
１１ｂ：補強辺、
１１ｃ：補強辺、
１２：切込み溝、
１３：回転刃、
２１：ブロック、
２１ａ：ブロック上端面、
２３：貫通孔、
２４：凹部、
２５：アンカーボルト、
２５ａ：アンカーボルト下端、
２６：スリット、
２７：コーン、
３１：ブロック、
３２：支持鋼線、
３３：貫通孔、
３４：凹部、
３５：ボルト、
３６：係止孔、
３７：ナット、
３８：接続金具、
【図１】
2005163356.tif 000003
【図２】
2005163356.tif 000004
【図３】
2005163356.tif 000005
【図４】
2005163356.tif 000006
【図５】
2005163356.tif 000007
【図６】
2005163356.tif 000008
【図７】
2005163356.tif 000009
【図８】
2005163356.tif 000010
【図９】
2005163356.tif 000011
【図１０】
2005163356.tif 000012
【図１１】
2005163356.tif 000013
【図１２】
2005163356.tif 000014
【図１３】
2005163356.tif 000015
【図１４】
2005163356.tif 000016